(57)【要約】【課題】本発明は、微小な振動を検出できる高感度振動センサを動物が接する床に置くことにより動物に無拘束で接した状態で、心臓の鼓動による振動、肺呼吸による振動、身体の動きによる振動を検出する。検出された振動情報をもとに動物の体調異変を判断して通報する動物生体振動監視通報装置の提供を目的とする。【解決手段】上記目的を達成するために本発明の動物生体振動監視通報装置は、動物の心臓の拍動による振動、肺呼吸による振動、身体の動きによる振動を検出し振動性電気信号を出力する多孔性ポリプロピレンエレクトレットフィルムの生体振動センサ手段を有することを特徴としている。【選択図】図１
2010075651.tif 000002
【特許請求の範囲】
【請求項１】
多孔性ポリプロピレンエレクトレットフィルムが動物生体に直接又は物体を介在して間接的に接することで、前記動物生体の、心臓の拍動による振動、肺呼吸による振動、身体の動きによる振動を検出し、振動性電気信号として出力する前記多孔性ポリプロピレンエレクトレットフィルムの生体振動センサ手段と、前記振動性電気信号から、心臓の拍動による心臓振動性電気信号、肺呼吸による肺呼吸振動性電気信号を抽出する生体振動信号抽出フィルタ手段と、前記振動性電気信号、前記心臓振動性電気信号、前記肺呼吸振動性電気信号の何れか一つの該当する信号又は、何れかの組み合わせの各各に該当する信号が消滅することを監視し通報信号を発する生体振動信号監視手段と、前記通報信号をもとに音、光、文章表示の何れか一つ又は何れかの組み合わせで通報する通報手段を有することを特徴とする動物生体振動監視通報装置。
【請求項２】
請求項１記載の動物生体振動監視通報装置において、さらに前記振動性電気信号、前記心臓振動性電気信号、前記肺呼吸振動性電気信号の何れか一つの該当する信号又は、何れかの組み合わせの各各に該当する信号の情報を、経過時間順に保存する生体振動信号記憶装置手段を有する動物生体振動監視通報装置。
【請求項３】
請求項１記載の動物生体振動監視通報装置において、前記生体振動センサ手段の前記多孔性ポリプロピレンエレクトレットフィルムにかえて、高分子圧電体であるポリフッ化ビニリデンフィルム、加速度センサ、加重センサの何れか一つであることを特徴とする動物生体振動監視通報装置。
【発明の詳細な説明】
【技術分野】
【０００１】本発明は、動物生体の心臓の拍動、肺呼吸の状態、身体の動きを監視し通報する動物生体振動監視通報装置に関するものである。
【背景技術】
【０００２】動物病院等において、動物の手術中の心拍及び呼吸の体調管理には人間同様に「電極型心電計」や「呼吸モニター」を装着した状態で体調異変を監視ている。
【発明の開示】
【発明が解決しようとする課題】
【０００３】動物の手術後及び病気入院では、「動物用ＩＣＵ装置」又は「ペットケイジ」に入れ体調管理を行っている。しかし「動物用ＩＣＵ装置」は、「空調管理（冷暖房機能）」及び「酸素投与」の装置内の環境管理であって、直接動物自身の体調異変の監視は行われない。ただ「動物用ＩＣＵ装置」や「ペットケイジ」に入れた状態でも動物に「電極型心電計」や「呼吸モニター」などを装着すれば良いのあるが、しかし動物自身が外してしまう可能性があり、継続的な体調異変の監視は困難となる。【０００４】そこで本発明は、微小な振動を検出できる高感度振動センサを動物が接する床に置くことにより、動物に無拘束で接した状態で、心臓の鼓動による振動、肺呼吸による振動、身体の動きによる振動を検出する。検出された振動情報をもとに動物の体調異変を判断して通報する動物生体振動監視通報装置の提供を目的とする。
【課題を解決するための手段】
【０００５】上記目的を達成するために本発明の動物生体振動監視通報装置は、多孔性ポリプロピレンエレクトレットフィルムが動物生体に直接又は物体を介在して間接的に接することで、動物生体の、心臓の拍動による振動、肺呼吸による振動、身体の動きによる振動を検出し、振動性電気信号として出力する多孔性ポリプロピレンエレクトレットフィルムの生体振動センサ手段と、振動性電気信号から、心臓の拍動による心臓振動性電気信号、肺呼吸による肺呼吸振動性電気信号を抽出する生体振動信号抽出フィルタ手段と、振動性電気信号、心臓振動性電気信号、肺呼吸振動性電気信号の何れか一つの該当する信号又は、何れかの組み合わせの各各に該当する信号が消滅することを監視し通報信号を発する生体振動信号監視手段と、通報信号をもとに音、光、文章表示の何れか一つ又は何れかの組み合わせで通報する通報手段を有することを特徴としている。【０００６】生体振動信号記憶装置手段は、振動性電気信号、心臓振動性電気信号、肺呼吸振動性電気信号の何れか一つの該当する信号又は、何れかの組み合わせの各各に該当する信号の情報を、経過時間順に保存することを特徴としている。【０００７】生体振動センサ手段の多孔性ポリプロピレンエレクトレットフィルムにかえて、高分子圧電体であるポリフッ化ビニリデンフィルム、加速度センサ、加重センサの何れか一つであることを特徴としている。
【発明の効果】
【０００８】本発明によって、「動物用ＩＣＵ装置」や「ペットケイジ」などに設置することにより、動物自身に対して無拘束で心臓の拍動による振動、肺呼吸による振動、及び身体の動きによる振動を検出し監視することで、動物の体調異変を感知して通報することができる。
【発明を実施するための最良の形態】
【０００９】本発明の動物生体振動監視通報装置を図面に基づいて説明する。図２は実施例における装置構成の概要を示すブロック図である。生体振動センサ手段１００の多孔性ポリプロピレンエレクトレットフィルム１１０は、ポリプロピレン高分子フィルムの内部に無数の空孔を形成した構造であって、さらに高電圧放電を加えて空孔に電荷を蓄積させている。このフィルムの両面を導電性シート、導電性ペーストなどで挟み込み電極端子を構成する。このフィルムの面に圧力が加わると電極端子に電圧が生じることを特徴としている。またこの多孔性ポリプロピレンエレクトレットフィルム１１０はＥＭＦｉフィルム（ＥｌｅｃｔｒｏＭｅｃｈａｎｉｃａｌＦｉｌｍ）の名称でも表される。この多孔性ポリプロピレンエレクトレットフィルム１１０に、動物が直接又は物体を介在して接する状態において、心臓の拍動による振動、肺呼吸による振動、身体の動きによる振動を電圧の変化として検出することができる。検出された振動は、電気信号である「振動性電気信号」１２０として出力される。「振動性電気信号」１２０は、必要に応じて電気信号増幅部１３０で増幅される。【００１０】生体振動信号抽出フィルタ手段２００は、心臓の拍動による振動、肺呼吸による振動、身体の動きによる振動が混在した状態での振動性電気信号１２０から、心臓振動性電気信号抽出フィルタ部２１０で、アナログフィルタ処理又はデジタルフィルタ処理を行うことで心臓振動性電気信号２１１を抽出する。肺呼吸振動性電気信号抽出フィルタ部２２０で、アナログフィルタ処理又はデジタルフィルタ処理を行うことで肺呼吸性振動電気信号２２１を抽出する。「アナログＯＲデジタルフィルタ処理」２３０、２４０でのアナログフィルタ処理は、オペアンプ等でフィルタ回路を構成する。またデジタルフィルタ処理の場合は、振動性電気信号１２０をＡ／Ｄコンバータを介在してアナログ信号からデジタル信号へと数量化に変換した後に、ＣＵＰ（中央演算処理装置）でソフトウェア演算によるフィルタ処理を施して、該当する心臓振動性電気信号２１１、肺呼吸振動性電気信号２２１を抽出する。【００１１】生体振動信号監視手段３００は、コンピュータ処理部３１０で、振動性電気信号１２０、心臓振動性電気信号２１１、肺呼吸性振動電気信号２２１の内で選択された該当する信号が消滅することを監視し通報信号３２０を発する。振動性電気信号１２０にあっては、Ａ／Ｄコンバータ３３０を介して、コンピュータ処理部３１０が判断可能なアナログ信号からデジタル信号へと数量化に変換する。【００１２】通報手段４００は、通報信号３２０の通知により「ブザーやスピーカーの音」、「電球ライトなどの光」、「液晶表示器などへの文章表示」の何れか一つ又は何れかの組み合わせで動物の体調異変を通報する。【００１３】生体振動信号記憶装置手段５００は、振動性電気信号１２０を経過時間順に記憶素子５１０に保存する。本発明の動物生体振動監視通報装置は、この実施例に限定するものではない。
【産業上の利用可能性】
【００１４】  本発明の動物生体振動監視通報装置は、人にも利用が可能である。
【図面の簡単な説明】
【００１５】
【図１】は、実施例における運用の概要を示す図である。
【図２】は、実施例における装置構成の概要を示すブロック図である。
【符号の説明】
【００１６】  １００  生体振動センサ手段
１１０  多孔性ポリプロピレンエレクトレットフィルム
１２０  振動性電気信号
１３０  電気信号増幅部
２００  生体振動信号抽出フィルタ手段
２１０  心臓振動性電気信号抽出フィルタ部
２１１  心臓振動性電気信号
２２０  肺呼吸振動性電気信号抽出フィルタ部
２２１  肺呼吸性振動電気信号
２３０  アナログｏｒデジタルフィルタ処理
２４０  アナログｏｒデジタルフィルタ処理
３００  生体振動信号監視手段
３１０  コンピュータ処理部
３２０  通報信号
３３０  Ａ／Ｄコンバータ
４００  通報手段
５００  生体振動信号記憶装置手段
５１０  記憶素子
【図１】
2010075651.tif 000003
【図２】
2010075651.tif 000004